(57)【特許請求の範囲】
【請求項１】
床版上の端部に敷設され、
上面と下面との間に複数の縦仕切り部を長手方向に沿って平行に配し、上下両面と隣接縦仕切り部とで囲われた部分を中空として形成されていて幅方向側部に長手方向に沿う凹状の排水溝部を有するデッキ材であって、
前記排水溝部はデッキ材の幅方向側端の中空部とそれよりも中央側の中空部との間に設けられていて、排水溝部の底面を、前記幅方向側端の中空部の縦仕切り部の外面と前記中央側の中空部の縦仕切り部の外面に接続したデッキ材の幅方向側部から中央部に向かう下り傾斜面に形成するとともに当該底面の下側を中空としてなる構成を有するデッキ材。
【請求項２】
前記排水溝部のデッキ材中央側の側面の上部を側面の下部よりも排水溝部内方に張出するように形成して溝上部に遮蔽部を形成してなる請求項１に記載のデッキ材。
【請求項３】
前記排水溝部の底面のデッキ材中央側の端部を凹陥させて貯水部を形成してなる請求項１又は２に記載のデッキ材。
【発明の詳細な説明】
【０００１】
【発明の属する技術の分野】
本発明は、バルコニー、ベランダ、テラス等の床敷材として用いられるデッキ材に関する。
【０００２】
【従来の技術】
従来、バルコニー等の美観を向上させるため、床敷材として、バルコニー等の床版上に根太材を介して樹脂製のデッキ材を敷設することが行われている。このようなデッキ材には、デッキ材表面に付着した雨水等を床版上に流出させることなく排水できるように排水溝が形成されているものがある。
【０００３】
図９はこの種のデッキ材の一例を示し、バルコニーの床版１００上にアルミ製の断面方形状を呈する長尺な根太材１０１を、適宜間隔をおいてバルコニーの出幅方向に沿って複数敷設し、この根太材１０１の上面に根太材１０１と直交する方向（バルコニーの横幅方向）に沿って複数の樹脂製のデッキ材１０２を室内側から複数敷設するとともに、バルコニー出幅側の先端部に同じくデッキ材１０３を敷設したものである。
【０００４】
このデッキ材１０３のバルコニー出幅先端側には、雨水を排水するため、凹形状の排水溝１０４がデッキ材の長手方向に沿って形成されており、排水溝１０４に流れ込んだ雨水は、図示はしていないが、デッキ材１０３長手方向両端部に配設した受樋に流れ込むようになっていた。
【０００５】
【発明が解決しようとする課題】
しかし、排水溝１０４の底面１０５は、デッキ材幅方向に略水平面に形成してあり、排水溝１０４を流れる雨水が少なくなってくると、デッキ材１０３の長手方向の両端部まで雨水が排水されず、底面１０５のいたるところに水溜まりとして残存してしまうことがあり、しかも水分が蒸発した後には、雨水に含まれていたゴミや塵が底面１０５に残存し、排水溝１０４の底面１０５は見栄えが悪いものとなっていた。
【０００６】
本発明は、かかる従来の問題点を解決すべく為されたものであり、その目的とするところは、デッキ材の排水溝部に流れ込んだ雨水を排水溝部底面のいたるところに残存させることなく略一箇所に集積し、更にはその集積した雨水が見えにくいように構成したデッキ材を提供することにある。
【０００７】
【課題を解決するための手段】
上記目的を達成するべく、本発明のデッキ材は、床版上の端部に敷設され、上面と下面との間に複数の縦仕切り部を長手方向に沿って平行に配し、上下両面と隣接縦仕切り部とで囲われた部分を中空として形成されていて幅方向側部に長手方向に沿う凹状の排水溝部を有するデッキ材であって、前記排水溝部はデッキ材の幅方向側端の中空部とそれよりも中央側の中空部との間に設けられていて、排水溝部の底面を、前記幅方向側端の中空部の縦仕切り部の外面と前記中央側の中空部の縦仕切り部の外面に接続したデッキ材の幅方向側部から中央部に向かう下り傾斜面に形成するとともに当該底面の下側を中空としてなる構成を有する。
【０００８】
かかる構成を有するデッキ材によれば、排水溝部に流れ込んだ雨水は排水溝部底面のデッキ材中央側に流れるので、流れ込んだ雨水を排水溝部底面のいたるところに雨水を水溜まりのように残存させることなく確実に略一箇所に集積することができるとともに、排水溝部に集積された雨水を室内側から見えにくいようにすることができる。
【０００９】
ここで、前記排水溝部のデッキ材中央側の側面の上部を側面の下部よりも排水溝部内方に張出するように形成して溝上部に遮蔽部を形成すれば、前記排水溝部の底面のデッキ材中央側の端部に集積された雨水を遮蔽することができ、更に雨水を見えにくくすることができる。
【００１０】
更に、前記排水溝部の底面のデッキ材中央側の端部を凹陥させて貯水部を形成すれば、集積可能な雨水の量を増大させることができ、好ましい。
【００１１】
【発明の実施の形態】
以下、本発明のデッキ材の実施例について図面を参照して説明する。
図１は本発明に係るデッキ材の一実施例の施工状態を示す側面図、図２は図１のデッキ材の構造を示す斜視図、図３は図２のデッキ材の排水溝部の構造を示す拡大側面図、図４〜６は図２のデッキ材の排水溝部の底面の構造とは異なる底面の構造を示す側面図、図７及び８は図２のデッキ材の排水溝部の遮蔽部とは異なる遮蔽部の構造を示す側面図である。
【００１２】
本発明に係るデッキ材１は、図１に示すように、複数のデッキ材２とともに、化粧床面Ａを形成するものであり、この化粧床面Ａは、バルコニーの床版３上に断面方形状の長尺なアルミ製の根太材４をバルコニー出幅方向（図では左右方向）に沿って適宜間隔をおいて複数敷設し、この根太材４の上面に所定の幅及び厚みを有し長尺なデッキ材２をバルコニー横幅方向（図では紙面に直交する方向）に沿って室内側から出幅先端方向に向って隣接するように複数敷設し、本発明に係るデッキ材１を出幅方向先端側にデッキ材２と平行に隣接させて敷設して形成してあり、これらデッキ材１、２は固定釘５により根太材４に固着してある。
【００１３】
デッキ材１は、図１及び図２に示すように、所定の幅及び厚みを有し、長尺な合成樹脂製の部材であって、上面１１と下面１１Ａとの間に複数の縦仕切り部１１Ｂを長手方向に沿って平行に配し、上下両面１１、１１Ａと隣接縦仕切り部１１Ｂ、１１Ｂとで囲われた部分を中空として形成してある。
デッキ材１は、雨水をデッキ材１の長手方向両端部に配設した受樋（図示せず）に排水させるために、上面１１のバルコニー出幅方向先端側の側端を所定の幅及び深さの凹形状となるように長手方向に沿って凹陥し、上面開口状の排水溝部１２を形成してある。
この排水溝部１２は、図１及び図２に示すように、デッキ材１の幅方向側端の中空部１Ａとそれよりも中央側の中空部１Ｂとの間に設けられており、排水溝部１２の底面１３を、幅方向側端の中空部１Ａの縦仕切り部１１Ｂの外面と中央側の中空部１Ｂの縦仕切り部１１Ｂの外面に接続したデッキ材中央部に向かう下り傾斜面に形成してある。底面１３とその下側の下面１１Ａの間も中空としてある。
【００１４】
この排水溝部１２の底面１３は、図２及び３に示すように、デッキ材１の幅方向側部からデッキ材中央部に向かう下り勾配を有する傾斜面１３ａと、この傾斜面１３ａの下方の側端部に連接した適宜幅の水平面１３ｂとからなり、この水平面１３ｂの上部、すなわち底面１３のデッキ材中央側の端部は、雨水を集積する略凹形状の貯水部１３ｅとしてある。
【００１５】
排水溝部１２のデッキ材１中央側の側面１４は、図２及び３に示すように、水平面１３ｂの側端を垂設し、垂直面として形成するとともに、中間部から上部にかけて排水溝部１３内方に向かって水平面１３ｂの幅と略同幅だけ台形状に凸設することにより、遮蔽部１５を形成してある。
【００１６】
排水溝部１２近傍の上面１１は、図２及び３に示すように、雨水が排水溝部１２に流入し易くなるように、排水溝部１２に向かう下り傾斜面とし、傾斜誘導部１６を形成してある。
【００１７】
なお、デッキ材１の幅方向中央部には、図１及び２に示すように、長手方向に沿って凹溝部１７を形成してあり、この凹溝部１７の底面中央部には、固着釘５を打ち込みやすくするために、案内溝１７ａを長手方向に沿って形成し、凹溝部１７は凹溝部１７の上部を被覆する溝カバー１８を被着できるようにしてある。また、排水溝部１２側と反対側の端部には、隣接するデッキ材２の係合部２１と係合する係合部１９を形成してある。
【００１８】
このような構成を有するデッキ材１によれば、排水溝部１２に流れ込んだ雨水は底面１３のデッキ材１の中央側に流れるので、雨水を底面１３のいたるところに水溜まりとして残存させることなく確実に略一箇所に集積することができるとともに、遮蔽部１５を形成したことにより室内側から排水溝部１２に雨水が貯水されているのを見えにくくすることができる。
【００１９】
なお、図示はしないが、上記実施例において、溝上部に遮蔽部１５を形成することなく、排水溝部１２の底面１３をデッキ材１の幅方向側部からデッキ材中央部に向かう適宜下り勾配の傾斜面１３ａとするだけでも室内側から排水溝部１２に雨水が貯水されているのを見えにくくすることができる。
【００２０】
また、底面１３は、デッキ材１の幅方向側部からデッキ材中央部に向かう下り勾配の傾斜面に形成してあればよく、上記実施例における傾斜面１３ａのほか、図４及び５に示すように、湾曲した傾斜面１３ｃ、１３ｄとしてもよい。ここで、図５に示すように、上方に膨出するように湾曲した傾斜面とする場合には、集積できる雨水の量が少なくなってしまうので、適宜幅の水平面１３ｂを形成し、略凹形状の貯水部１３ｅを形成するのが好ましい。
【００２１】
更に、図６に示すように、排水溝部１２の底面１３のデッキ材中央側の端部を所定の幅及び深さだけ凹陥して貯水部１３ｅを形成してもよく、このように貯水部１３ｅを形成すれば、底面１３のデッキ材中央側の側端部に集積可能な雨水の量を増大させることができる。
【００２２】
遮蔽部１５の形状は、雨水を集積する底面１３のデッキ材中央側の端部を遮蔽することができるのであれば、上記実施例のように台形状の凸部に限定されるものでなく、図７及び８に示すように、三角形状の遮蔽部１５ａ又は矩形状の遮蔽部１５ｂとするなど任意の形状に形成することができる。
また、これら遮蔽部１５、１５ａ、１５ｂは、上記実施例のように、側面１４の上部から中間部にわたる部位を排水溝部１２内方に向かって凸設して形成するものに限定されるものでなく、側面１４の下部から中間部にわたる部位を排水溝部１２外方に向かって凹設して形成してもよい。
【図面の簡単な説明】
【図１】図１は本発明に係るデッキ材の一実施例の施工状態を示す側面図である。
【図２】図２は図１のデッキ材の構造を示す斜視図である。
【図３】図３は図２のデッキ材の排水溝部の構造を示す拡大側面図である。
【図４】図４はデッキ材の排水溝部の底面の構造を示し、図２の構造とは異なる構造を示す側面図である。
【図５】図５はデッキ材の排水溝部の底面の構造を示し、図２の構造とは更に異なる構造を示す側面図である。
【図６】図６はデッキ材の排水溝部の底面の構造を示し、図２の構造とは更にまた異なる構造を示す側面図である。
【図７】図７はデッキ材の排水溝部の遮蔽部の構造を示し、図２の構造とは異なる構造を示す側面図である。
【図８】図８はデッキ材の排水溝部の遮蔽部の構造を示し、図２の構造とは更に異なる構造を示す側面図である。
【図９】従来のデッキ材の構造の一例を示す側面図である。
【符号の説明】
１、２  デッキ材
１１    上面
１２    排水溝部
１３    底面
１３ａ、１３ｃ、１３ｄ    傾斜面
１３ｂ  水平面
１３ｅ  貯水部
１４    側面
１５、１５ａ、１５ｂ    遮蔽部
１６    傾斜誘導部
１７    凹溝部
１７ａ  当接溝
１８    溝カバー
１９、２１    係合部
３      床版
４      根太材
５      固着釘
【図１】
0003851039.tif 000002
【図２】
0003851039.tif 000003
【図３】
0003851039.tif 000004
【図４】
0003851039.tif 000005
【図５】
0003851039.tif 000006
【図６】
0003851039.tif 000007
【図７】
0003851039.tif 000008
【図８】
0003851039.tif 000009
【図９】
0003851039.tif 000010